(57)【要約】【課題】  キッチン廻りの家事を効率良く行うことができる建物を提供することを目的とする。【解決手段】建物１は、玄関土間２２へ通じる土間収納室２３と、キッチン３２へ通じるパントリー３１と、が隣接して設けられる建物であって、土間収納室２２とパントリー３１は、両室間を出入り可能とする第１出入口８ａによって連通し、玄関土間２２と土間収納室２３は、両室間を出入り可能とする第２出入口８ｂによって連通し、パントリー３１とキッチン３２は、両室間を出入り可能とする第３出入口８ｃによって連通する。【選択図】図２
2018178623.tif 000002
【特許請求の範囲】
【請求項１】
玄関土間へ通じる土間収納室と、キッチンへ通じるパントリーと、が隣接して設けられる建物であって、
前記土間収納室と前記パントリーは、両室間を出入り可能とする第１出入口によって連通し、
前記玄関土間と前記土間収納室は、両室間を出入り可能とする第２出入口によって連通し、
前記パントリーと前記キッチンは、両室間を出入り可能とする第３出入口によって連通することを特徴とする建物。
【請求項２】
前記土間収納室と前記パントリーは、それぞれ平面視矩形に形成されるとともに第１壁体によって隔てられ、
前記玄関土間と前記土間収納室は、該土間収納室を挟んで前記第１壁体に対向する第２壁体によって隔てられ、
前記第１壁体及び前記第２壁体に直交する第３壁体を、前記玄関土間と前記土間収納室及び前記パントリーに面して配置し、
前記パントリーと前記キッチンは、前記第３壁体によって隔てられ、
前記玄関土間及び前記土間収納室は、前記第３壁体を挟んで屋外の玄関ポーチと隣接することを特徴とする請求項１に記載の建物。
【請求項３】
前記第１出入口は、前記第１壁体の前記第３壁体側の端部に形成され、
前記第２出入口は、前記第２壁体の前記第３壁体側の端部に形成され、
前記第３出入口は、前記第３壁体の前記第１壁体に近接する位置に形成されることを特徴とする請求項２に記載の建物。
【請求項４】
前記土間収納室及び前記パントリーを挟んで前記第３壁体に対向する位置に第４壁体を配置し、
前記土間収納室は、食料品や備品を収納するための第１収納棚を、前記第４壁体の壁面に沿って設置しており、
前記パントリーは、食料品や備品を収納するための第２収納棚を、前記第４壁体の壁面に沿って設置しており、
前記第１収納棚と前記第２収納棚は、同じ奥行き寸法を有するとともに同じ高さ位置に棚板を有していることを特徴とする請求項２又は請求項３に記載の建物。
【請求項５】
前記キッチンは、前記パントリーに通じるとともに前記屋外に隣接しており、
前記キッチンと前記屋外は、該キッチンを挟んで前記第３壁体と対向する外壁体によって隔てられ、
前記外壁体は、前記キッチンと前記屋外を出入り可能とする第４出入口を有し、
前記第４出入口は、前記第３出入口と対向していることを特徴とする請求項２から請求項４のいずれかに記載の建物。
【請求項６】
前記パントリーは、前記第１壁体に前記パントリーを挟んで対向する第５壁体によってリビングと隔てられており、
前記第５壁体のリビング側の壁面に沿ってＴＶボードを設置することを特徴とする請求項２から請求項５のいずれかに記載の建物。
【請求項７】
前記パントリーの床面の高さは、前記土間収納室の床面の高さよりも高く、且つ、前記キッチンの床面の高さよりも低いことを特徴とする請求項１から請求項６のいずれかに記載の建物。
【請求項８】
前記第１出入口は、引き戸で形成され、
該引き戸の戸先側の側面は、前記引き戸を全開すると、前記第４壁体の前記土間収納室側の壁面と前記第４壁体の前記パントリー側の壁面と略面一となることを特徴とする請求項４に記載の建物。
【発明の詳細な説明】
【技術分野】
【０００１】
本発明は、玄関土間へ通じる土間収納室と、キッチンへ通じるパントリーと、が隣接して設けられる建物であって、土間収納室とパントリーが出入口によって連通している建物に関する。
【背景技術】
【０００２】
従来より、キッチンを中心とした家事の時間短縮を図るために、効率の良い動線が提案されている。
【０００３】
たとえば、特許文献１の発明では、玄関土間に収納部を設け、玄関土間とキッチンルームとの間に両室間を繋ぐ開口部を形成することで、開口部を通じてキッチンルームと玄関土間との間で物品を移動させることができる。この発明では、不意の来客があった場合等にキッチンルームの物品を玄関土間の収納部に移動させたり、また、玄関からキッチンルームまでの物品の移動距離を短くすることができ、キッチンルームを中心とした家事を効率よく行うことができる。
【０００４】
特許文献２は、キッチンと玄関土間との間に土間収納室を配置し、土間収納室を通じてキッチンと玄関土間を行き来することができる。また土間収納室には、外部に通じる勝手口を設けているため、キッチンから土間収納室を通って勝手口より外部へ出ることができ、使い勝手のいい動線を構築している。
【先行技術文献】
【特許文献】
【０００５】
【特許文献１】特開２０１５−２０３２９２
【特許文献２】特開２００７−９２３４９
【発明の概要】
【発明が解決しようとする課題】
【０００６】
しかしながら、特許文献１の収納部は、雑菌の浮遊しやすい玄関土間と離隔されていないため、キッチンで使用する掃除用具や備品等は保管できるものの、衛生面の観点から穀物類や製菓品などの食料品を保管することが難しく、収納する物品が限定される可能性が高い。
【０００７】
また、特許文献２の発明は、キッチンから勝手口を通って屋外に出るために土間収納室を通過しなければならず、たとえば、キッチンで発生した生ゴミの搬出入を勝手口から行う際や、勝手口に配達された比較的重量のある食料品等をキッチンに運び込む際に居住者の負担となることが予想される。
【０００８】
そこで、本発明は、上述した課題を鑑みてなされたものであって、キッチン廻りの家事を効率良く行うことができる建物を提供することを目的とする。
【課題を解決するための手段】
【０００９】
本発明の建物は、玄関土間へ通じる土間収納室と、キッチンへ通じるパントリーと、が隣接して設けられる建物であって、前記土間収納室と前記パントリーは、両室間を出入り可能とする第１出入口によって連通し、前記玄関土間と前記土間収納室は、両室間を出入り可能とする第２出入口によって連通し、前記パントリーと前記キッチンは、両室間を出入り可能とする第３出入口によって連通することを特徴としている。
【００１０】
本発明の建物は、前記土間収納室と前記パントリーは、それぞれ平面視矩形に形成されるとともに第１壁体によって隔てられ、前記玄関土間と前記土間収納室は、該土間収納室を挟んで前記第１壁体に対向する第２壁体によって隔てられ、前記第１壁体及び前記第２壁体に直交する第３壁体を、前記玄関土間と前記土間収納室及び前記パントリーに面して配置し、前記パントリーと前記キッチンは、前記第３壁体によって隔てられ、前記玄関土間及び前記土間収納室は、前記第３壁体を挟んで屋外の玄関ポーチと隣接することを特徴としている。
【００１１】
本発明の建物は、前記第１出入口は、前記第１壁体の前記第３壁体側の端部に形成され、前記第２出入口は、前記第２壁体の前記第３壁体側の端部に形成され、前記第３出入口は、前記第３壁体の前記第１壁体に近接する位置に形成されることを特徴としている。
【００１２】
本発明の建物は、前記土間収納室及び前記パントリーを挟んで前記第３壁体に対向する位置に第４壁体を配置し、前記土間収納室は、食料品や備品を収納するための第１収納棚を、前記第４壁体の壁面に沿って設置しており、前記パントリーは、食料品や備品を収納するための第２収納棚を、前記第４壁体の壁面に沿って設置しており、前記第１収納棚と前記第２収納棚は、同じ奥行き寸法を有するとともに同じ高さ位置に棚板を有していることを特徴としている。
【００１３】
本発明の建物は、前記キッチンは、前記パントリーに通じるとともに前記屋外に隣接しており、前記キッチンと前記屋外は、該キッチンを挟んで前記第３壁体と対向する外壁体によって隔てられ、前記外壁体は、前記キッチンと前記屋外を出入り可能とする第４出入口を有し、前記第４出入口は、前記第３出入口と対向していることを特徴としている。
【００１４】
本発明の建物は、前記パントリーは、前記第１壁体に前記パントリーを挟んで対向する第５壁体によってリビングと隔てられており、前記第５壁体のリビング側の壁面に沿ってＴＶボードを設置することを特徴としている。
【００１５】
本発明の建物は、前記パントリーの床面の高さは、前記土間収納室の床面の高さよりも高く、且つ、前記キッチンの床面の高さよりも低いことを特徴としている。
【００１６】
本発明の建物は、前記第１出入口は、引き戸で形成され、該引き戸の戸先側の側面は、前記引き戸を全開すると、前記第４壁体の前記土間収納室側の壁面と前記第４壁体の前記パントリー側の壁面と略面一となることを特徴としている。
【発明の効果】
【００１７】
本発明の建物によると、玄関土間に通じる土間収納室と、キッチンへ通じるパントリーが隣接し、各室間はそれぞれ出入口によって連通しているので、玄関からキッチンを繋ぐ動線を確保できるとともに、状況に応じて土間収納室とパントリーを使い分けて物品を保管することができ、効率良くキッチン廻りの家事を行うことができる。
【００１８】
本発明の建物によると、土間収納室とパントリーは第１壁体によって隔てられ、玄関土間と土間収納室は第２壁体によって隔てられているので、土間収納室に土のついた野菜類や家事用品等を保管した場合においても玄関土間やパントリーに臭気が漏れることはなく、また、屋外から持ち込まれ玄関土間に浮遊する雑菌が、土間収納室に流入することを防ぐことができる。
【００１９】
本発明の建物によると、第１出入口は第１壁体の第３壁体側の端部に形成され、第２出入口は第２壁体の第３壁体側の端部に形成され、第３出入口は第３壁体の第１壁体に近接する位置に形成されるので、玄関土間からキッチンまでを最短距離で移動することができ、効率的な家事動線を確保することができる。
【００２０】
本発明の建物によると、土間収納室とパントリーは、第３壁体に対向する第４壁体の壁面に沿ってそれぞれ第１収納棚と第２収納棚を設置し、第１収納棚と第２収納棚は同じ奥行き寸法を有するとともに同じ高さ位置に棚板を有しているので、土間収納室とパントリーに保管している物品を効率良く置き換えすることができ、土間収納室とパントリーの一体的な利用を可能とすることができる。
【００２１】
本発明の建物によると、キッチンはパントリーに通じるとともに屋外に隣接し、キッチンと屋外を隔てる外壁体は、キッチンと屋外を出入り可能とするとともに、キッチンを挟んで第３出入口と対向する位置に第４出入口を有しているので、キッチンを介して屋外からパントリーまでを最短距離で繋ぐ動線を確保することができ、効率良くキッチン廻りの家事を行うことができる。
【００２２】
本発明の建物によると、パントリーは第５壁体によってリビングと隔てられ、第５壁体のリビング側の壁面にはＴＶボードが設置される。したがって、採光や通風及び開放性を確保するために大面積の壁面を設けることが難しいリビングにおいてもＴＶボードを設置できる壁面を確保することができる。
【００２３】
本発明の建物によると、パントリーの床面の高さは、土間収納室の床面の高さよりも高く、且つ、キッチンの床面の高さよりも低いので、キッチンの床面の温度と比較してパントリーの床面の温度を低温とすることができるとともに、土間収納室からの雑菌の流入を防ぐことができ、良好な衛生環境を保持ことができる。
【００２４】
本発明の建物によると、第１出入口は引き戸で形成され、第１出入口を全開すると引き戸の戸先側の側面が第４壁体の土間収納室側の壁面と第４壁体のパントリー側の壁面と略面一となるので、状況に応じて土間収納室とパントリーの間の隔たりを無くすことができ、両室間の一体的な利用を可能とすることができる。
【図面の簡単な説明】
【００２５】
【図１】建物の配置図及び１階平面図。
【図２】図１のＸを示す拡大平面図。
【図３】図１のＹ方向を示す展開図。
【図４】第１出入口の別の実施形態を示す拡大平面図。
【発明を実施するための形態】
【００２６】
以下、建物１の最良の実施形態について各図を参照しつつ説明する。図１は、本発明の建物の一例を示すもので、配置図及び１階の平面図である。以下、本発明において「右方向」とは図１における右側を指し、「左方向」とは図１における左側を指し、「上方向」とは図１における上側を指し、「下方向」とは図１における下側を指すものとする。また、「右上方向」とは図１における右上を指している。
【００２７】
まず、建物１の配置構成及び１階平面構成から説明する。建物１は、図１に示すように、敷地略中央に配置されており、建物１の上方向に駐車場Ｐ１及び駐車場Ｐ２が配置され、建物１の下方向に庭Ｇが配置されている。また、建物１は、建物１の右上方向の外壁が折曲して平面視Ｌ型の入隅部を形成しており、この入隅部には、駐車場Ｐ１及び後述する玄関ポーチ２１が配置されている。１階内部の平面構成は、入隅部の左方向に配置される玄関部２と、入隅部及び玄関部２の下方向に配置されるキッチン部３と、キッチン部３の下方向に配置される居室部４と、玄関部２の左方向に配置されるサニタリー部５と、サニタリー部５の下方向に配置され、上階と下階を結ぶ階段部６と、玄関部２及び居室部４とサニタリー部５を接続する廊下７と、から形成されている。
【００２８】
玄関部２は、入隅部に面して配置されており、屋外に位置する玄関ポーチ２１と、玄関ポーチ２１の左方向に隣接し、玄関ポーチ２１と玄関口２ａによって連通する玄関土間２２と、玄関土間２２の下方向に隣接し、食料品や備品を収納することができる玄関収納室２３と、玄関土間２２の左方向に隣接し、建物１の内部と屋外を行き来するために人が集まる玄関ホール２４と、を備えている。
【００２９】
キッチン部３は、玄関部２と同様に入隅部に面して配置されており、土間収納室２３の下方向に隣接して食料品や備品を収納することができるパントリー３１と、パントリー３１の右方向に隣接するキッチン３２を備えている。また、居室部４は、パントリー３１の下方向に隣接するリビング４１と、リビング４１の右方向及びキッチン３２の下方向に隣接して配置されるダイニング４２と、リビング４１の左方向に隣接する和室４３を備えている。
【００３０】
続いて、図１の２点斜線で囲われる範囲Ｘについて説明する。玄関部２及びキッチン部３は、平面視略Ｌ型状に配列されている。図２に示すように、土間収納室２３とパントリー３１は、それぞれ平面視矩形に形成され、第１壁体８１によって隔てられるとともに、第１壁体８１に設けられる第１出入口８ａによって連通している。また、玄関土間２２と土間収納室２３は、第２壁体８２によって隔てられるとともに、第２壁体８２に設けられる第２出入口８ｂによって連通している。
【００３１】
第１壁体８１及び第２壁体８２に直交する第３壁体８３は、玄関土間２２と土間収納室２３及びパントリー３１に面して配置されており、パントリー３１とキッチン３２は、第３壁体８３によって隔てられるとともに第３壁体８３に設けられる第３出入口８ｃによって連通している。また、土間収納室２３及びパントリー３１を挟んで第３壁体８３に対向する位置に第４壁体８４が配置され、パントリー３１を挟んで第１壁体８１に対向する位置に第５壁体８５が配置されている。
【００３２】
土間収納室２３は、玄関土間２２と同じ床高さを有する土間空間で、土のついた野菜類や、家事用品や掃除道具等の備品及びゴミ類を保管することができる。また、第１出入口８ａは引き戸で形成されるとともに、第２出入口８ｂは片開き扉で形成されているので、土間収納室２３に保管された物品の臭気が玄関土間２２やパントリー３１に漏出することを防止することができる。また、屋外から持ち込まれ玄関土間２２に浮遊する雑菌が、土間収納室２３に流入することを防ぐことができる。
【００３３】
パントリー３１の床面の高さは、土間収納室２３の床面の高さよりも高く、且つ、キッチン３２の床面の高さよりも低く設定されており、食料品や備品を保管することができる。このように、土間収納室２３とパントリー３１及びキッチン３２の床面の高さを変え、先述したように第１出入口８ａに引き戸を設けているので、キッチン３２の床面の温度と比較してパントリー３１の床面の温度を低温とすることができるとともに、土間収納室２３に浮遊する雑菌のパントリー３１内部への流入を防止することができ、良好な衛生環境を保持することができる。
【００３４】
また、パントリー３１とキッチン３２を繋ぐ第３出入口８ｃには扉や戸が設けられておらず、建具を開閉することなくパントリー３１からキッチン３２に移動することができるため、調理中の移動をスムーズに行うことができ家事効率を向上させることができる。また、第３出入口８ｃは、居室部４に面して設置されていないため、リビング４１及びダイニング４２から第３出入口８ｃを見た時にパントリー３１の内部が見えづらく、食事中や来客時にパントリー３１に保管されている食料品や備品等の雑多な物品を視界に入れることなく快適に過ごすことができる。
【００３５】
このように、玄関土間２２に通じる土間収納室２３と、キッチン３２へ通じるパントリー３１が隣接し、各室間をそれぞれ出入口によって連通させているので、玄関土間２２からキッチン３２を繋ぐ動線を確保することができる。そして、保管する物品の種類に応じて土間収納室２３とパントリー３１を使い分けることができるので、効率良くキッチン廻りの家事を行うことができる。
【００３６】
また、図２に示すように、第１出入口８ａは第１壁体８１の第３壁体８３側の端部に形成され、第２出入口８ｂは第２壁体８２の第３壁体８３側の端部に形成されており、また、第３出入口８ｃは第３壁体８３の第１壁体８１に近接する位置に形成されている。したがって、玄関土間２２からキッチン３２までを最短距離で移動することができ、効率的な家事動線を確保することができる。
【００３７】
土間収納室２３とパントリー３１には、図２に示すように、それぞれ第４壁面８４に沿って物品を収納するための第１収納棚２Ａと第２収納棚３Ａが設置されている。図２及び図３に示すように、第１収納棚２Ａと第２収納棚３Ａは、互いに同じ奥行き寸法を有しており、また、第１収納棚２Ａに設けられる棚板２Ｂと第２収納棚３Ａに設けられる棚板３Ｂは、互いに同じ高さ位置に設置されている。このように各収納棚を一体的な構成にすることにより、各収納棚に収納した物品を置き換えする際に、容易に物品の置換を行うことができ家事効率を向上させることができる。なお、ここでは各収納棚の構成をオープン棚とし、横方向の棚板を設ける構成としているが、収納棚の形状は特に限定されることはなく、扉や縦方向の棚板を収納棚に設置しても良い。
【００３８】
なお、図４に示すように、第１出入口８ａの引き戸を全開にした際、引き戸の戸先側の側面８１ａが、第４壁体８４の土間収納室２３及びパントリー３１側の壁面と略面一となるまで引き込める構成としてもよい。このような構成にすることによって、土間収納室２３とパントリー３１を状況に応じて一体的に利用することが可能となる。たとえば、第１収納棚２Ａ及び第２収納棚３Ａに保管している物品を置換する際、引き戸を全開にすることによって、よりスムーズに物品の置換を行うことができ、家事効率を向上させることができる。
【００３９】
キッチン３２は、図２に示すように、キッチン３２を挟んで第３壁体８３と対向する外壁体８６によって屋外と隔てられており、床高さはパントリーよりも高く、且つ、１階床高さに設定されている。外壁体８６には、第３壁体８３に設けられる第３出入口８ｃに対向する位置に片開き扉で形成された第４出入口８ｄが設けられており、シンクや調理器は、第３出入口８ｃと第４出入口８ｄを結ぶ動線を避けた位置に配置されている。したがって、キッチンを介して屋外からパントリーまでを最短距離で移動することができ、第４出入口８ｄからキッチンやパントリーへの物品の搬出入を効率良く行うことができる。このように、勝手口として機能する第４出入口８は、玄関ポーチ２１に面さず設置されているので玄関口２ａから出入する際に目立つことがなく、良好な建物外観を形成することができる。
【００４０】
なお、ここでは第１出入口８ａを引き戸とし、第２出入口８ｂ及び第４出入口８ｄを片開き扉としているが、先述した動線が確保できるのであれば、扉や戸の形状は特に限定されることはない。また、第３出入口８ｃは必要に応じて扉や戸を設ける仕様としてもよい。
【００４１】
また、このようにパントリー３１の床高さをキッチン３２の床高さよりも低くし、キッチン３２の床高さを１階床高さに設定しているので、キッチン３２の床下に床暖房を設置し、パントリ−３１の床下には床暖房を設置せず１階床下空間を有効活用することでパントリー３１内の収納力を向上させることができる。したがって、衛生面のみならず経済性や利便性にも優れたキッチン空間を構築することができる。
【００４２】
さらに、玄関部２とキッチン部３はそれぞれ入隅部に面して平面視略Ｌ型に配列されているので、キッチン３２からパントリー３１への視認性は高いが、キッチン３２から土間収納室２３への視認性は低くなる。したがって、調理中に土間収納室に保管されたゴミや備品など雑多なものが目につかず、快適に炊事を行うことができる。また、玄関土間２２からパントリー３１やキッチン３２への視認性は低いため、玄関口２ａから来客があった際に、パントリー３１に保管された食料品やキッチン３２で炊事を行って入る様子などを視認される虞がなく、プライバシーに配慮されたキッチン空間とすることができる。
【００４３】
図１及び図２に示すように、パントリー３１の下方向にはリビング４１が隣接しており、パントリー３１とリビング４１は、第５壁体８５によって隔てられている。第５壁体８５のリビング４１側に面する壁面には、図２に示すように、ＴＶボード４ａを設置することができる。したがって、パントリー３１とリビング４１をこのような配置関係とすることにより、採光や通風及び開放性を確保するために大面積の壁面を設けることが難しいリビングにおいても、まとまった面積の壁面を確保することができ、有効利用することができる。
【００４４】
次に、このように構成される建物１の具体的なキッチン廻りの使い勝手について説明する。まず、玄関口２ａから帰宅した場合、玄関土間２２から第２出入口８ｂを通って土間収納室２３に購入した備品や土のついている野菜類を収納し、続いて第１出入口８ａを通ってパントリー３１に衛生上土間空間に保管することのできない食料品や備品を収納し、そして、第３出入口８ｃを通過してキッチンに備えてある冷蔵庫３ｃに冷蔵が必要な物品を保管する。このとき、先述したように、玄関土間２２からキッチン３２までは最短距離で移動できるよう各出入口の設置位置を調整しているので、保管する物品の種類に応じて土間収納室２２とパントリー３１及びキッチン３２を使い分けることができるとともに、最短動線で物品を収納することができる。
【００４５】
また、調理中にキッチン３２やパントリー３１でゴミが生じた場合は、ゴミを土間収納室２３に保管することができ、玄関土間２２から外出する際に、隣接する土間収納室２３に保管されたゴミを持ち出してそのまま外出することができる。
【００４６】
そして、キッチン３２は、左方向にパントリー３１と隣接しているので、調理中にパントリー３１に保管されている食料品を出し入れできるとともに、発生したゴミ類を一時的にパントリー３１内に保管することができる。また、キッチン３２は、右方向に屋外に隣接しているので、第４出入口８ｄからも直接屋外にゴミを搬出することができるとともに、第４出入口８ｄに配達された比較的重量のある食料品等を容易にキッチン３２やパントリー３１に運び込むことができる。このとき、先述したように、第４出入口８ｄと第３出入口８ｃは対向しているので、パントリー３１から屋外までを最短動線で移動することができる。したがって、図２に示すように、玄関土間〜土間収納室〜パントリー〜キッチン〜屋外〜玄関土間を最短距離で回遊することができ、極めて効率的な家事動線９を確保することができる。
【００４７】
このように構成された建物は、キッチン廻りの家事を効率良く行うことができ、家事の時間短縮を可能とすることができる。
【００４８】
また、本発明の実施の形態は上述の形態に限ることなく、本発明の思想の範囲を逸脱しない範囲で適宜変更することができることは云うまでもない。
【産業上の利用可能性】
【００４９】
本発明に係る建物は、たとえば、戸建住宅において好適に使用することができる。
【符号の説明】
【００５０】
１      建物
２２    玄関土間
２３    土間収納室
２Ａ    第１収納棚
２Ｂ    棚板
３１    パントリー
３２    キッチン
３Ａ    第２収納棚
３Ｂ    棚板
４１    リビング
８１    第１壁体
８２    第２壁体
８３    第３壁体
８４    第４壁体
８５    第５壁体
８６    外壁体
８ａ    第１出入口
８ｂ    第２出入口
８ｃ    第３出入口
８ｄ    第４出入口
【図１】
2018178623.tif 000003
【図２】
2018178623.tif 000004
【図３】
2018178623.tif 000005
【図４】
2018178623.tif 000006
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
玄関土間へ通じる土間収納室と、キッチンへ通じるパントリーと、が隣接して設けられる建物であって、
前記土間収納室と前記パントリーは、両室間を出入り可能とする第１出入口によって連通し、
前記玄関土間と前記土間収納室は、両室間を出入り可能とする第２出入口によって連通し、
前記パントリーと前記キッチンは、両室間を出入り可能とする第３出入口によって連通し、
前記パントリーの床面の高さは、前記土間収納室の床面の高さよりも高く、且つ、前記キッチンの床面の高さよりも低いことを特徴とする建物。
【請求項２】
玄関土間と隣り合う土間収納室と、キッチンと隣り合うパントリーと、が隣接して設けられる建物であって、
前記土間収納室と前記パントリーは、それぞれ平面視矩形に形成されるとともに第１壁体によって隔てられ、且つ、前記第１壁体に設けられ、両室間を出入り可能とする第１出入口によって連通し、
前記玄関土間と前記土間収納室は、該土間収納室を挟んで前記第１壁体に対向する第２壁体によって隔てられるとともに、前記第２壁体に設けられ、両室間を出入り可能とする第２出入口によって連通し、
前記第１壁体及び前記第２壁体に直交する第３壁体を、前記玄関土間と前記土間収納室及び前記パントリーに面して配置し、
前記パントリーと前記キッチンは、前記第３壁体によって隔てられるとともに、前記第３壁体に設けられ、両室間を出入り可能とする第３出入口によって連通し、
前記パントリー及び前記キッチンの床面の高さは、前記土間収納室の床面の高さよりも高く、
前記玄関土間及び前記土間収納室は、前記第３壁体を挟んで屋外の玄関ポーチと隣接し、
前記キッチンは、前記土間収納室に面する前記第３壁体から、前記土間収納室と反対の方向へ延設される外壁体を挟んで前記玄関ポーチと隣接することを特徴とする建物。
【請求項３】
前記第１出入口は、前記第１壁体の前記第３壁体側の端部に形成され、
前記第２出入口は、前記第２壁体の前記第３壁体側の端部に形成され、
前記第３出入口は、前記第３壁体の前記第１壁体に近接する位置に形成されることを特徴とする請求項２に記載の建物。
【請求項４】
前記土間収納室及び前記パントリーを挟んで前記第３壁体に対向する位置に第４壁体を配置し、
前記土間収納室は、食料品や備品を収納するための第１収納棚を、前記第４壁体の壁面に沿って設置しており、
前記パントリーは、食料品や備品を収納するための第２収納棚を、前記第４壁体の壁面に沿って設置しており、
前記第１収納棚と前記第２収納棚は、同じ奥行き寸法を有するとともに同じ高さ位置に棚板を有していることを特徴とする請求項２又は請求項３に記載の建物。
【請求項５】
前記外壁体は、前記キッチンと前記屋外を出入り可能とする第４出入口を有し、
前記第４出入口は、前記第３出入口と対向していることを特徴とする請求項２から請求項４のいずれかに記載の建物。
【請求項６】
前記パントリーは、前記第１壁体に前記パントリーを挟んで対向する第５壁体によってリビングと隔てられており、
前記第５壁体のリビング側の壁面に沿ってＴＶボードを設置することを特徴とする請求項２から請求項５のいずれかに記載の建物。
【請求項７】
前記第１出入口は、引き戸で形成され、
該引き戸の戸先側の側面は、前記引き戸を全開すると、前記第４壁体の前記土間収納室側の壁面と前記第４壁体の前記パントリー側の壁面と略面一となることを特徴とする請求項４に記載の建物。
【手続補正２】
【補正対象書類名】明細書
【補正対象項目名】０００９
【補正方法】変更
【補正の内容】
【０００９】
本発明の建物は、玄関土間へ通じる土間収納室と、キッチンへ通じるパントリーと、が隣接して設けられる建物であって、前記土間収納室と前記パントリーは、両室間を出入り可能とする第１出入口によって連通し、前記玄関土間と前記土間収納室は、両室間を出入り可能とする第２出入口によって連通し、前記パントリーと前記キッチンは、両室間を出入り可能とする第３出入口によって連通し、前記パントリーの床面の高さは、前記土間収納室の床面の高さよりも高く、且つ、前記キッチンの床面の高さよりも低いことを特徴としている。
【手続補正３】
【補正対象書類名】明細書
【補正対象項目名】００１０
【補正方法】変更
【補正の内容】
【００１０】
本発明の建物は、玄関土間と隣り合う土間収納室と、キッチンと隣り合うパントリーと、が隣接して設けられる建物であって、前記土間収納室と前記パントリーは、それぞれ平面視矩形に形成されるとともに第１壁体によって隔てられ、且つ、前記第１壁体に設けられ、両室間を出入り可能とする第１出入口によって連通し、前記玄関土間と前記土間収納室は、該土間収納室を挟んで前記第１壁体に対向する第２壁体によって隔てられるとともに、前記第２壁体に設けられ、両室間を出入り可能とする第２出入口によって連通し、前記第１壁体及び前記第２壁体に直交する第３壁体を、前記玄関土間と前記土間収納室及び前記パントリーに面して配置し、前記パントリーと前記キッチンは、前記第３壁体によって隔てられるとともに、前記第３壁体に設けられ、両室間を出入り可能とする第３出入口によって連通し、前記パントリー及び前記キッチンの床面の高さは、前記土間収納室の床面の高さよりも高く、前記玄関土間及び前記土間収納室は、前記第３壁体を挟んで屋外の玄関ポーチと隣接し、前記キッチンは、前記土間収納室に面する前記第３壁体から、前記土間収納室と反対の方向へ延設される外壁体を挟んで前記玄関ポーチと隣接することを特徴としている。
【手続補正４】
【補正対象書類名】明細書
【補正対象項目名】００１３
【補正方法】変更
【補正の内容】
【００１３】
本発明の建物は、前記外壁体が、前記キッチンと前記屋外を出入り可能とする第４出入口を有し、前記第４出入口は、前記第３出入口と対向していることを特徴としている。
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
本発明の建物によると、玄関土間に通じる土間収納室と、キッチンへ通じるパントリーが隣接し、各室間はそれぞれ出入口によって連通しているので、玄関からキッチンを繋ぐ動線を確保できるとともに、状況に応じて土間収納室とパントリーを使い分けて物品を保管することができ、効率良くキッチン廻りの家事を行うことができる。また、パントリーの床面の高さは、土間収納室の床面の高さよりも高く、且つ、キッチンの床面の高さよりも低いので、キッチンの床面の温度と比較してパントリーの床面の温度を低温とすることができるとともに、土間収納室からの雑菌の流入を防ぐことができ、良好な衛生環境を保持ことができる。
【手続補正７】
【補正対象書類名】明細書
【補正対象項目名】００２３
【補正方法】削除
【補正の内容】